(57)【要約】      （修正有）【課題】直列化されたビデオ情報（非パケットのビデオ情報）およびＵＳＢ情報（パケット化された情報）を共通出力に対して切り替える。【解決手段】データ同期及び直列化器２２１は、ビデオプロセッサ２２５からの情報を受信し、データストリームを生成してＵＳＢスイッチ２２３に送信し、ＵＳＢスイッチ２２３は、データ同期及び直列化器２２１からのデータストリームと入力２３０の情報を受信して、二つのソースの間を切り替えて単一の出力２２４を生成する。【選択図】図２
2010288283.tif 000002
【特許請求の範囲】
【請求項１】
システムであって、
ビデオコントローラからビデオ信号を受信して前記ビデオ信号を直列化し、その直列化されたビデオ情報を供給するビデオ直列化器と、
スイッチであって、
ＵＳＢコントローラからユニバーサルシリアルバス（ＵＳＢ）情報を受信するように構成される第１入力と、
前記ビデオ直列化器から直列化されたビデオ情報を受信するように構成される第２入力と、
前記ＵＳＢ情報及び前記直列化されたビデオ情報の少なくとも一方を遠隔装置に供給するように構成される出力と
を含む前記スイッチと、を備え、
前記スイッチは、前記第１入力を前記出力と接続し、前記第２入力を前記出力から分離するように構成される第１状態を含み、前記スイッチは、前記第２入力を前記出力と接続し、前記第１入力を前記出力から分離するように構成される第２状態を含む、システム。
【請求項２】
前記システムは、集積回路を含み、
前記集積回路は、前記スイッチおよび前記ビデオ直列化器を含む、請求項１に記載のシステム。
【請求項３】
前記直列化されたビデオ情報は、非パケットに基づく高精細ビデオ情報を含み、
前記出力は、物理ＵＳＢインターフェースを用いて前記非パケットに基づく高精細ビデオ情報を前記遠隔装置に供給するように構成される、請求項１に記載のシステム。
【請求項４】
前記物理ＵＳＢインターフェースは、物理ＵＳＢ３．０インターフェースを含む、請求項３に記載のシステム。
【請求項５】
方法であって、
ビデオコントローラからビデオ信号を受信する段階と、
前記ビデオ信号を直列化する段階と、
前記ビデオ信号を用いて直列化されたビデオ情報をスイッチの第２入力に供給する段階と、
ＵＳＢコントローラからのユニバーサルシリアルバス（ＵＳＢ）情報を前記スイッチの第１入力で受信する段階と、
ビデオ直列化器からの前記直列化されたビデオ情報を前記スイッチの第２入力で受信する段階と、
前記スイッチが第１状態である時に、前記スイッチの出力を用いてＵＳＢ情報を遠隔装置に供給する段階と、
前記第１状態中に、前記スイッチの第２入力を前記スイッチの出力から分離する段階と、
前記スイッチが第２状態である時に、前記スイッチの出力を用いて前記直列化されたビデオ情報を前記遠隔装置に供給する段階と、
前記第２状態中に、前記スイッチの第１入力を前記スイッチの出力から分離する段階と
を含む、方法。
【請求項６】
前記直列化されたビデオ情報を受信する段階は、非パケットに基づく高精細ビデオ情報を受信することを含み、
前記直列化されたビデオ情報を前記遠隔装置に供給する段階は、物理ＵＳＢインターフェースを用いて非パケットに基づく高精細ビデオ情報を前記遠隔装置に供給することを含む、請求項５に記載の方法。
【発明の詳細な説明】
【技術分野】
【０００１】
本発明は、デジタルビデオ用のユニバーサルシリアルバス（ＵＳＢ）に関する。
本出願は、２００９年６月１５日に出願された米国特許法第１１９（ｅ）の米国特許仮出願番号６１／１８７，１５６号に基づく優先権を主張し、これにより、それら全体を参照として組み込む。
【背景技術】
【０００２】
ユニバーサルシリアルバス（ＵＳＢ）は、コンピュータハードウェアとホストコンピュータとの間の標準通信ポートを提供するように規定されるシリアルバス通信規格である。いずれのコンピュータ装置または周辺装置（例えば、マウス、キーボード、スキャナ、デジタルカメラ、プリンタ、メディアプレイヤ、外部ハードドライブ等）は、ＵＳＢを用いるホストコンピュータと接合可能である。
【０００３】
１９９６年に発表されたＵＳＢ１．０は、１２ＭＢｉｔｓ／ｓのデータ送信能力を有する。２０００年に発表されたＵＳＢ２．０は、４８０Ｍｂｉｔｓ／ｓのデータ送信能力を有する。２００８年に発表された現在のＵＳＢ３．０は、５Ｇｂｉｔｓ／ｓのデータ送信能力を有する。ＵＳＢコネクタのデータ送信能力が増大するにつれて、潜在的な用途が拡大している。
【発明の概要】
【課題を解決するための手段】
【０００４】
本明細書は、特に、携帯装置のＵＳＢポートを用いて携帯装置からハイディフィニション（ＨＤ）ビデオ情報を外部ディスプレイのＨＤビデオポート（例えば、ＨＤＭＩ、ディスプレイポート等）に送信するためのシステムおよび方法について説明する。
【０００５】
例１では、システムは、スイッチであって、ユニバーサルシリアルバス（ＵＳＢ）情報を受信するように構成される第１入力と、直列化された（serialized）ビデオ情報を受信するように構成される第２入力と、ＵＳＢ情報および直列化されたビデオ情報の少なくとも一方を遠隔装置に供給するように構成される出力とを含むスイッチを有し、スイッチは、第１入力と出力とを接続するように構成される第１状態と、第２入力と出力とを接続するように構成される第２状態とを含む。
【０００６】
例２では、例１の第１入力は、ＵＳＢコントローラからＵＳＢ情報を受信するように任意に構成され、第２入力は、ビデオ直列化器（video serializer）から直列化されたビデオ情報を受信するように任意に構成される。
【０００７】
例３では、例１，２のうち少なくとも一つの例は、ビデオ直列化器を任意に含み、ビデオ直列化器は、ビデオコントローラからビデオ情報を受信して直列化し、そのビデオ信号を用いて非パケットに基づく直列化されたビデオ情報を第２入力に供給するように構成される。
【０００８】
例４では、例１−３のうち少なくとも一つの例のスイッチの第１状態は、ＵＳＢ情報を出力に供給し、第２入力を出力から分離するように任意に構成され、例１−３のうち少なくとも一つの例のスイッチの第２状態は、直列化されたビデオ情報を出力に供給し、第１入力を出力から分離するように任意に構成される。
【０００９】
例５では、例１−４のうち少なくとも一つの例の第１入力は、ＵＳＢプロトコルに従って、パケットに基づく情報を受信するように任意に構成されるＵＳＢポートを含み、例１−４のうち少なくとも一つの例の出力は、ＵＳＢプロトコルに従って、パケットに基づく情報を遠隔装置に供給するように構成される。
【００１０】
例６では、例１−５のうち少なくとも一つの例の直列化されたビデオ情報は、非パケットに基づく直列化されたビデオ情報を任意に含み、その非パケットに基づく直列化されたビデオ情報は、ビデオストリームを含み、例１−５のうち少なくとも一つの例の遠隔装置は、物理ＵＳＢインターフェースを用いてビデオデータストリームを受信し、受信したビデオデータストリームを直列化解除する（deserialize）ように任意に構成される直列化解除器（deserializer）を任意に含む。
【００１１】
例７では、例１−６のうち少なくとも一つの例の遠隔装置は、直列化解除された（deserialized）ビデオデータストリームを表示するように構成されるディスプレイを任意に含む。
【００１２】
例８では、例１−７のうち少なくとも一つの例は、スイッチを有する集積回路を任意に含む。
例９では、例１−８のうち少なくとも一つの例は、ビデオコントローラからビデオ信号を受信し、そのビデオ信号を用いて直列化されたビデオ情報を第２入力に供給するように構成されるビデオ直列化器を任意に含み、例１−８のうち少なくとも一つの例の集積回路は、ビデオ直列化器を任意に含む。
【００１３】
例１０では、例１−９のうち少なくとも一つの例の直列化されたビデオ情報は、非パケットに基づく高精細ビデオ情報を任意に含み、例１−９のうち少なくとも一つの例の出力は、物理ＵＳＢインターフェースを用いて非パケットに基づく高精細ビデオ情報を遠隔装置に供給するように任意に構成され、例１−９のうち少なくとも一つの例の物理ＵＳＢインターフェースは、物理ＵＳＢ３．０インターフェースを任意に含む。
【００１４】
例１１では、例１−１０のうち少なくとも一つの例の非パケットに基づく直列化された高精細ビデオ情報は、７２０ｐ、１０８０ｉ、１０８０ｐビデオストリームのうち少なくとも一つのビデオストリームを任意に含む。
【００１５】
例１２では、例１−１１のうち少なくとも一つの例は、スイッチと、ビデオ信号を供給するように構成されるビデオコントローラと、ビデオコントローラからビデオ信号を受信して、ビデオ信号を用いて非パケットに基づく直列化されたビデオ情報をスイッチの第２入力に供給するように構成されるビデオ直列化器と、ＵＳＢ情報を供給するように構成されるＵＳＢコントローラとを含む携帯装置を有し、スイッチは、第１状態中に、物理ＵＳＢインターフェースを用いてＵＳＢ情報を遠隔装置に供給し、第２状態中に、物理ＵＳＢインターフェースを用いて非パケットに基づく直列化されたビデオ情報を遠隔装置に供給するように構成される。
【００１６】
例１３では、方法であって、ユニバーサルシリアルバス（ＵＳＢ）情報をスイッチの第１入力で受信する段階、直列化されたビデオ情報をスイッチの第２入力で受信する段階、スイッチの第１状態中にスイッチの出力を用いてＵＳＢ情報を遠隔装置に供給する段階、スイッチの第２状態中にスイッチの出力を用いて直列化されたビデオ情報を遠隔装置に供給する段階を含む。
【００１７】
例１４では、ＵＳＢ情報を受信する例１−１３のうち少なくとも一つの例の段階は、ＵＳＢコントローラからＵＳＢ情報を受信することを任意に含み、直列化されたビデオ情報を受信する例１−１３のうち少なくとも一つの例の段階は、ビデオ直列化器から直列化されたビデオ情報を受信することを任意に含む。
【００１８】
例１５では、例１−１４のうち少なくとも一つの例は、ビデオコントローラからビデオ信号を受信する段階、ビデオ信号を直列化する段階、ビデオ信号を用いて非パケットに基づく直列化されたビデオ情報をスイッチの第２入力に供給する段階を任意に含む。
【００１９】
例１６では、例１−１５のうち少なくとも一つの例は、第１状態中にスイッチの第２入力をスイッチの出力から分離する段階、第２状態中にスイッチの第１入力をスイッチの出力から分離する段階を任意に含む。
【００２０】
例１７では、ＵＳＢ情報を受信する例１−１６のうち少なくとも一つの例の段階は、ＵＳＢプロトコルに従って、パケットに基づく情報を受信することを含み、ＵＳＢ情報を供給する例１−１６のうち少なくとも一つの例の段階は、ＵＳＢプロトコルに従って、パケットに基づく情報を遠隔装置に供給することを含む。
【００２１】
例１８では、例１−１７のうち少なくとも一つの例の、直列化されたビデオ情報を受信する段階は、非パケットに基づく直列化されたビデオ情報を受信することを含み、その非パケットに基づく直列化されたビデオ情報は、ビデオデータストリームを含み、例１−１７のうち少なくとも一つの例の方法は、物理ＵＳＢインターフェースを用いてビデオデータストリームを受信する段階、受信されたビデオデータストリームを直列化解除する段階を含む。
【００２２】
例１９では、例１−１８のうち少なくとも一つの例の、直列化されたビデオ情報を受信する段階は、非パケットに基づく高精細ビデオ情報を受信することを任意に含み、例１−１８のうち少なくとも一つの例の、直列化されたビデオ情報を遠隔装置に供給する段階は、物理ＵＳＢインターフェースを用いて非パケットに基づく高精細ビデオ情報を遠隔装置に供給することを任意に含む。
【００２３】
例２０では、例１−１９のうち少なくとも一つの例の、非パケットに基づく高精細ビデオ情報を供給する段階は、７２０ｐ、１０８０ｉ、１０８０ｐビデオストリームのうち少なくとも一つのビデオストリームにて供給することを任意に含む。
【００２４】
例２１では、例１−２０のうち少なくとも一つの例は、物理ユニバーサルシリアルバス（ＵＳＢ）インターフェースを用いて非パケットに基づく直列化されたビデオ情報を受信し、受信した非パケットに基づく直列化されたビデオ情報を直列化解除し、その直列化解除されたビデオ情報を用いて高精細出力信号をビデオポートに供給するように構成される直列化解除器を任意に含む。
【００２５】
例２２では、例１−２１のうち少なくとも一つの例は、直列化解除されたビデオ情報を高精細出力信号に変換するように構成されるコンバータを任意に含む。
例２３では、例１−２２のうち少なくとも一つの例の非パケットに基づく直列化されたビデオ情報は、非パケットに基づく直列化された高精細ビデオ情報を任意に含み、例１−２２のうち少なくとも一つの例の直列化解除されたビデオ情報は、直列化解除された高精細ビデオ情報を任意に含む。
【００２６】
例２４では、例１−２３のうち少なくとも一つの例の非パケットに基づく直列化された高精細ビデオ情報は、７２０ｐ、１０８０ｉ、１０８０ｐビデオストリームのうち少なくとも一つのビデオストリームを任意に含む。
【００２７】
例２５では、例１−２４のうち少なくとも一つの例の高精細ビデオ情報は、ハイディフィニション・マルチメディアインターフェース（ＨＤＭＩ）互換信号を任意に含み、例１−２４のうち少なくとも一方のビデオポートは、ＨＤＭＩビデオポートを任意に含む。
【００２８】
例２６では、例１−２５のうち少なくとも一つの例の高精細出力信号は、ディスプレイポート互換信号を任意に含み、例１−２５のうち少なくとも一つの例のビデオポートは、ディスプレイポートのビデオポートを任意に含む。
【００２９】
例２７では、例１−２６のうち少なくとも一つの例の物理ＵＳＢインターフェースは、物理ＵＳＢ３．０インターフェースを任意に含む。
例２８では、例１−２７のうち少なくとも一つの例は、物理ＵＳＢインターフェース及びビデオポートを任意に含む。
【００３０】
例２９では、例１−２８のうち少なくとも一つの例は、集積回路を任意に含み、集積回路は直列化解除器を含む。
例３０では、例１−２９のうち少なくとも一つの例のビデオポートは、電力を直列化解除器に供給するように任意に構成される。
【００３１】
例３１では、例１−３０のうち少なくとも一つの例の直列化解除器は、物理ＵＳＢインターフェースから電力を供給されるように任意に構成される。
例３２では、方法は、物理ユニバーサルシリアルバス（ＵＳＢ）インターフェースを用いて非パケットに基づく直列化されたビデオ情報を受信する段階と、受信した非パケットに基づく直列化されたビデオ情報を直列化解除する段階と、直列化解除されたビデオ情報を用いて高精細出力信号をビデオポートに供給する段階とを含む。
【００３２】
例３３では、例１−３２のうち少なくとも一つの例は、直列化解除されたビデオ情報を高精細出力信号に変換する段階を任意に含む。
例３４では、例１−３３のうち少なくとも一つの例の、非パケットに基づく直列化されたビデオ情報を受信する段階は、非パケットに基づく直列化された高精細ビデオ情報を受信することを含み、例１−３３のうち少なくとも一つの例の、受信した非パケットに基づく直列化されたビデオ情報を直列化解除する段階は、受信した非パケットに基づく直列化された高精細ビデオ情報を直列化解除することを含む。
【００３３】
例３５では、例１−３４のうち少なくとも一つの例の非パケットに基づく直列化された高精細ビデオ情報は、７２０ｐ、１０８０ｉ、又は１０８０ｐビデオストリームのうち少なくとも一つのビデオストリームを任意に含む。
【００３４】
例３６では、例１−３５のうち少なくとも一つの例の、高精細出力信号をビデオポートに供給する段階は、ハイディフィニション・マルチメディアインターフェース（ＨＤＭＩ）互換信号をＨＤＭＩビデオポートに供給することを任意に含む。
【００３５】
例３７では、例１−３６のうち少なくとも一つの例の、高精細出力信号をビデオポートに供給する段階は、ディスプレイポート互換信号をディスプレイポートのビデオポートに供給することを任意に含む。
【００３６】
例３８では、例１−３７のうち少なくとも一つの例の、物理ＵＳＢインターフェースを用いて非パケットに基づく直列化されたビデオ情報を受信する段階は、物理ＵＳＢ３．０インターフェースを用いることを含む。
【００３７】
例３９では、例１−３８のうち少なくとも一つの例は、ビデオポートを用いて電力を供給する段階を含む。
例４０では、例１−３９のうち少なくとも一つの例は、物理ＵＳＢインターフェースを用いて電力を供給する段階を任意に含む。
【００３８】
例４１では、システムは、ビデオコントローラから高精細ビデオ信号を受信して、非パケットに基づく直列化された高精細ビデオ情報を供給するように構成されるビデオ直列化器と、スイッチであって、ユニバーサルシリアルバス（ＵＳＢ）情報を受信するように構成される第１入力と、非パケットに基づく直列化された高精細ビデオ情報を受信するように構成される第２入力と、ＵＳＢ情報及び非パケットに基づく直列化された高精細ビデオ情報の少なくとも一方を物理ＵＳＢインターフェースに供給するように構成される出力とを含むスイッチとを有し、スイッチは、第１入力と出力とを接続するように構成される第１状態と、第２入力と出力とを接続するように構成される第２状態とを含む。
【００３９】
例４２では、例１−４１のうち少なくとも一つの例は、物理ＵＳＢインターフェースを用いて、非パケットに基づく直列化された高精細ビデオ情報を受信し、受信した非パケットに基づく直列化された高精細ビデオ情報を直列化解除し、直列化解除されたビデオ情報を用いて高精細出力信号をビデオポートに供給するように構成される直列化解除器を含む。
【００４０】
例４３では、システムは、物理ユニバーサルシリアルバス（ＵＳＢ）インターフェースを用いて非パケットに基づく直列化されたビデオ情報を受信し、受信した非パケットに基づく直列化されたビデオ情報を直列化解除するように構成される直列化解除器と、直列化解除されたビデオ情報を高精細出力信号に変換し、高精細出力信号をビデオポートに供給するように構成されるコンバータとを含む。
【００４１】
例４４では、例１−４３のうち少なくとも１つの例は、ビデオコントローラから高精細ビデオ信号を受信し、高精細ビデオ信号を直列化し、非パケットに基づく直列化された高精細ビデオ情報を供給するように構成されるビデオ直列化器と、スイッチであって、ユニバーサルシリアルバス（ＵＳＢ）情報を受信するように構成される第１入力と、非パケットに基づく直列化された高精細ビデオ情報を受信するように構成される第２入力と、ＵＳＢ情報及び非パケットに基づく直列化された高精細ビデオ情報のうち少なくとも一方を物理ＵＳＢインターフェースに供給するように構成される出力とを含むスイッチを有し、例１−４３のうち少なくとも一つの例のスイッチは、第１入力と出力とを接続するように構成される第１状態と、第２入力と出力とを接続するように構成される第２状態とを任意に含む。
【００４２】
この概要は、本願の主題概要を提供することを意図する。この概要は、排他的又は包括的な発明の説明を提供すること意図しない。詳細な説明は、本願に関する情報をさらに含む。
【図面の簡単な説明】
【００４３】
必ずしも一定の縮尺で描かれていない図面では、数字等が異なる図面にて同様な構成に対して記載される。異なる接尾文字を有する数字等は、同様な構成の異なる例を表す。一例として、図面は、明細書にて説明される種々の実施形態を全体的に例示するが制限するものではない。
【図１】ディスプレイのデジタルビデオポートに接続されたＵＳＢ３．０ポートを有する携帯装置を含むシステムの例を全体的に示す。
【図２】ＵＳＢスイッチおよびビデオ直列化器を含むシステムの例を全体的に示す。
【図３】直列化解除器を含むシステムの例を全体的に示す。
【発明を実施するための形態】
【００４４】
本発明は、特に、デジタルビデオ（特定の例では、高精細デジタルビデオ）又は他のデジタル情報を、ＵＳＢポートを備える装置から遠隔装置に送信可能であることを認識されたい。特定の例では、遠隔装置は、デジタルインターフェース（例えば、ハイデフィニション・マルチメディア・インターフェース（ＨＤＭＩ）、ディスプレイポート、デジタルビジュアルインターフェース（ＤＶＩ）等）を有する高精細デジタルビデオディスプレイ等のディスプレイを含み、電子デバイスは、ディスプレイ、ＵＳＢケーブル等の物理ＵＳＢインターフェース、またはＵＳＢポートを備える装置から離れた１以上の他の装置を含む。ＵＳＢポートは、ＵＳＢ１．０、ＵＳＢ１．１、ＵＳＢ２．０、ＵＳＢ３．０、およびそれらの組合せ装置を含むがこれに制限されずに、いずれのユニバーサルシリアルバス規格と互換性を有することを理解されたい。ＵＳＢ３．０は、スーパースピードＵＳＢとして称され得る。
【００４５】
さらに、本発明は、特に、ＵＳＢインターフェースが再使用可能、すなわち、スイッチを用いる等により装置の二つ以上の機能のために使用可能であることを理解されたい。特定の例では、ＵＳＢインターフェースを再使用すること、すなわち、装置の二つ以上の機能のためのインターフェースを用いることにより、サイズ又は装置のコストは削減可能であり、静電気放電（ＥＳＤ）の懸念は低減可能であり、又はＩ／Ｏインターフェースを装置に加えることに関連する一つ以上の他の要因は削減可能である。
【００４６】
例えば、ビデオ又は他のデジタルデータの送信は、ＵＳＢ準拠である必要はない。特定の例では、パケットに基づくＵＳＢプロトコルを用いる代わりに、デジタルデータは、直列化（serialization）／直列化解除（deserialization）方式によるＵＳＢ送信データ対（例えば、標準的なＵＳＢ通信と異なる）を用いることにより送信可能である。例えば、ＵＳＢポートと関連するＵＳＢコントローラは、物理層と切断可能であり、他の一つ以上のコントローラは、ＵＢＳコントローラを用いずに、又はパケットに基づくＵＳＢプロトコルを用いずに、デジタルビデオをＵＳＢポートに送信するように用いることができる。特定の例では、ＵＳＢコントローラを切断することにより、複雑さを簡略化して、これにより、ビデオ又は他のデジタルデータを送信するためのアプローチがさらに興味を引くものとなる。
【００４７】
従って、高精細ビデオを送信するためのＵＳＢデータ転送レート、小さなサイズのＵＳＢコネクタ、及びＵＳＢインターフェースの低電力要求を利用して、携帯装置は、携帯装置上のＵＳＢコネクタを用いて、外部ディスプレイのデジタルビデオポート（例えば、ＨＤＭＩ、ディスプレイポート等）にビデオデータを送信可能である。
【００４８】
図１は、ディスプレイ１１０のデジタルビデオポート（又はコネクタ）１１１に接続されるＵＳＢ３．０ポート（又はコネクタ）１０６を有する携帯装置１０５を含むシステム１００の一例を全体的に示す。
【００４９】
特定の例では、携帯装置１０５は、携帯電話、メディアプレイヤ、カメラ、カムレコーダ、コンピュータ、又はＵＳＢ３．０ポート１０６を有する一つ以上の装置（例えば、携帯装置ではない装置）を含むことができる。例えば、携帯装置１０５は、ビデオプロセッサ１２５、ベースバンド集積回路（ＩＣ）１３０、及びＵＳＢ３．０ポート１０６に接続されたＵＳＢスイッチ１２０を含むことができる。他の例では、ベースバンドＩＣ１３０は、携帯装置１０５のＵＳＢ３．０ポート１０６を用いて送信される情報を供給するように構成された１つ以上のＵＳＢコントローラまたは他のコントローラ（例えば、メディアプロセッサ等）に置き換えることができる。
【００５０】
特定の例では、ＵＳＢスイッチ１２０は、ベースバンドＩＣ１３０、ビデオプロセッサ１２５、又は１つ以上の他のＵＳＢコンポーネント等の、携帯装置１０５内の複数のＵＳＢコンポーネントの間を切り替えるように構成可能である。例えば、ビデオプロセッサ１２５は、携帯装置１０５のディスプレイに表示するためのビデオ出力を生成するように構成可能である。多くの例では、携帯装置１０５のディスプレイは小さい。従って、ユーザは、異なる（例えばより大きい）ビデオディスプレイにビデオ出力を表示するように要望するかもしれない。
【００５１】
例えば、ディプレイ１１０は、テレビジョンディスプレイ（例えば、高精細テレビジョンディスプレイ）、コンピュータモニタ、又はデジタルインターフェースを含む１つ以上の他のディスプレイを含むことができる。特定の例では、デジタルビデオポート１１１は、ＨＤＭＩポート、ディスプレイポート、ＤＶＩポート、他の一つ以上のデジタルインターフェースを含むことができる。
【００５２】
ＨＤＭＩ又はディスプレイポート等の高精細デジタルインターフェースを含むディスプレイは多く存在する。例えば、携帯装置１０５は、ＵＳＢ３．０ポート１０６と共に、現存の高精細デジタルインターフェース（例えば、デジタルビデオポート１１１）を用いて、高精細ビデオ（例えば、１０８０ｐ等）を携帯装置１０５からディスプレイ１１０に送信するように構成可能である。例えば、携帯装置１０５のビデオプロセッサ１２５からの情報は、直列化されて、ＵＳＢ３．０ポート１０６のデータ送信特性を用いてディスプレイ１１０等の外部ディスプレイに送信可能である。
【００５３】
図１の例では、携帯装置１０５のＵＳＢ３．０ポート１０６は、ＵＳＢ３．０ケーブル１３５及びデジタルビデオ直列化解除器１１５を用いて、ディスプレイ１１０のデジタルビデオポート１１１に接続される。特定の例では、ＵＳＢ３．０ケーブル１３５は、デジタルビデオ直列化解除器１１５を含むことができ、また、デジタルビデオ直列化解除器１１５は、標準的なＵＳＢ３．０コネクタを備え、デジタルビデオポート１１１と接続するように構成される別個の追加コンポーネントでもよい。
【００５４】
図２は、ＵＳＢスイッチ及びビデオ直列化器２２０、データ同期及び直列化器２２１、クロック生成器２２２、及びＵＳＢスイッチ２２３を含むシステム２００の一例を全体的に示す。例えば、ＵＳＢスイッチ及びビデオ直列化器２２０は、ビデオプロセッサ２２５からの情報をクロック生成器２２２と、データ同期及び直列化器２２１とで受信するように構成される。例えば、データ同期及び直列化器２２１は、ビデオプロセッサ２２５から情報を受信し、ＵＳＢ３．０ポート及びケーブルを介してデジタルビデオポート（例えば、ＨＤＭＩ、ディスプレイポート等）と接続された直列化解除器に送信されるべく構成されるデータストリームを生成するように構成可能である。
【００５５】
例えば、ＵＳＢスイッチ２２３は、データ同期及び直列化器２２１からデータストリームを受信する。特定の例では、ＵＳＢスイッチ２２３は、ベースバンドＩＣ、他のビデオプロセッサ、又は携帯装置の他の一つ以上のＩ／Ｏインターフェース等の、他の一つ以上のソースから（例えば、入力２３０を用いて）情報を受信するように構成可能であり、二つ以上のＩ／Ｏインターフェースの単体のＵＳＢ３．０ポートを用いて、複数のソースの間を切り替えて単一の出力２２４を生成するように構成可能である。
【００５６】
他の例では、ＵＳＢ３．０ポートは、（例えば、データ同期及び直列化器２２１、ＵＳＢ３．０ケーブル、及び後段の直列化器を用いて）ビデオデータをディスプレイのデジタルビデオポートに送信するように携帯装置１０５に配置することが可能である。
【００５７】
例えば、データ同期及び直列化器２２１又はクロック生成器２２２のいずれか又は全ての機能を、ビデオプロセッサ２２５内に含むことができる。
図３は、入力３３５を（例えば、ＵＳＢ３．０ケーブルから）受信して、デジタルビデオポート（例えば、ＨＤＭＩ、ディスプレイ等）から受信されるように構成される出力３３８を生成する直列化解除器３１５を含むシステム３００の一例を全体的に示す。特定の例では、出力３３８は、ＨＤＭＩデータを含み、高精細テレビジョン又は他のディスプレイの標準的なＨＤＭＩポートを用いて受信されるように構成可能であり、または、出力３３８は、ディスプレイポートデータを含み、コンピュータモニタ又は他のディスプレイの標準的なディスプレイポートを用いて受信されるように構成可能である。
【００５８】
例えば、直列化解除器３１５は、入力３３５から情報を受信するように構成されるクロック及びデータリカバリーモジュール３１６を含む。さらに、クロック及びデータリカバリーモジュール３１６は、（例えば、デジタルビデオポート、外部ＡＣアダプタ等から）電力供給されるように構成可能であり、特定の例では、受信した情報を用いてクロック信号を生成するように構成可能である。例えば、直列化解除器３１５は、デジタルビデオポートと区別される別個の電源から電力を受け取るように構成可能である。特定の例では、電力は、外部ＡＣアダプタから供給可能である。例えば、外部ＡＣアダプタは、システム３００に対して追加外部ハードウェア（例えば、アダプタ、ケーブル等）が設けられないように、直列化解除器３１５の入力３３５部分又は出力３３８部分と直列に接続可能である。
【００５９】
さらに、直列化解除器３１５は、クロック及びデータリカバリーモジュール３１６から情報を受信するように構成される直列化解除モジュール３１７と、直列化解除モジュール３１７から情報を受信して、出力３３８を生成するように構成されるコンバータ３１８とを含むことができる。いくつかの例では、受信されたビデオデータストリームの直列化解除及び変換は、同じモジュールにて実行可能である。特定の例では、直列化解除器３１５は、デジタルビデオポートに対して制御信号を送信又は受信するように構成される制御回路モジュール３１９を含むことができる（例えば、直列化解除器３１５を制御するため、入力３３５を用いて直列化解除器３１５と接続された携帯装置の一つ以上の機能を制御するため等）。
【００６０】
特定の例では、ＨＤビデオは、７２０ｐ以上の解像度（１０８０ｉ、１０８０ｐ等）を有するビデオを含むことができる。ＵＳＢポートは、ＵＳＢ１．０、ＵＳＢ１．１、ＵＳＢ２．０、ＵＳＢ３．０、及びその組合せ装置を含むがこれに制限されずに、ユニバーサルシリアルバス規格のいずれかと互換性を有することを理解されたい。
【００６１】
上記の詳細な説明は、詳細な説明の一部を形成する添付した図面への言及を含む。図面は、実例として、発明が実施される特定の実施形態を示す。これら実施形態は、また、例として明細書中に参照される。そのような例は、示された又は説明されたものに加えて要素を含むことができる。しかしながら、本発明者は、また、例における示された又は説明された要素のみを考慮する。さらに、本発明者は、示された又は説明された要素（又はその一つ以上の形態）、明細書中に示された又は説明された特定の例（又はその一つ以上の形態）に関する又は他の例（又はその一つ以上の形態）に関するいずれかの組合せ又は並び替えを用いた例を考慮する。
【００６２】
この明細書に言及される全ての公報、特許、特許文献は、参照することにより個別に組み込まれるように、明細書全体を参照することにより組み込まれる。この明細書と参照により組み込まれたこれら文献との間に矛盾した構成がある場合には、組み込まれた参照の構成は、相容れない矛盾のために、この明細書の部分に対する補充を考慮されたく、この明細書の構成は調整される。
【００６３】
明細書中に説明された方法の例は、装置又はコンピュータにて少なくとも一部分を実行可能である。いくつかの例では、上記の例において説明された方法を電子デバイスが実行するように構成する実行命令をエンコードするコンピュータの読み出し可能な媒体又は装置の読み出し可能な媒体を含むことができる。このような方法の実行は、マイクロコード、アセンブリ言語コード、高級言語コード等のコードを含むことができる。このようなコードは、種々の方法を実行するためのコンピュータ読み出し可能な指示を含むことができる。コードは、コンピュータプログラムの部分を形成してもよい。さらに、コードは、動作中又は他の時間に、１つ以上の揮発性又は不揮発性のコンピュータの読み出し可能な媒体に明確に記憶可能である。これら有形のコンピュータの読み出し可能な媒体の例は、ハードディスク、着脱可能な磁気ディスク、着脱可能な光学ディスク（例えば、コンパクトディスクおよびデジタルビデオディスク）、磁気カセット、メモリカード又はメモリスティック、ランダムアクセスメモリ（ＲＡＭ）、リードオンリーメモリ（ＲＯＭ）等を含むが、これらに制限されない。
【００６４】
上記の説明は、例示することを意図し、制限することを意図しない。例えば、上記の例（又はその一つ以上の形態）は、互いに組み合わされて用いられてもよい。他の実施形態は、上記の説明の参照に基づいて従来技術のうちの一つの技術等により用いることができる。要約は、請求項の範囲又は意図を、解釈する又は制限するように用いられないという理解に基づいて提供される。また、上記の詳細な説明では、種々の特徴が一緒にまとめられて開示を簡素化し得る。このことは、何れの請求項に必要な開示された特徴をクレーム化しないという意図を解釈すべきではない。むしろ、発明の主題は、開示された特定の実施形態の構成全てより少ない構成を含むかもしれない。従って、後述する特許請求の範囲は、これにより詳細な発明に組み込まれ、各請求項は、別個の実施形態として独立し、このような実施形態が種々の組合せ又は並び替えにより互いに組み合わせ可能なことは考慮されたい。本発明の範囲は、添付した特許請求の範囲およびこの特許請求の範囲が享受する均等物の全範囲に従って判断すべきである。
【図１】
2010288283.tif 000003
【図２】
2010288283.tif 000004
【図３】
2010288283.tif 000005
【外国語明細書】
2010288283000001.pdf